(57)【特許請求の範囲】
【請求項１】
第１グリップ部と、該第１グリップ部から延びる第１アーム部と、該第１グリップ部及び第１アーム部の回動中心となる第１回動部と、該第１アーム部の先端に形成された凸部とを有する第１レバーと、
第２グリップ部と、該第２グリップ部から延びる第２アーム部と、該第２グリップ部及び第２アーム部の回動中心となる第２回動部と、該第２アーム部の先端に形成された凹部とを有する第２レバーと、
上記第１回動部と第２回動部とを回動自在に連結する連結手段とを有し、
上記第１アーム部を靴の内側に差し込んだ状態で、上記第１グリップ部と第２グリップ部とを握ることにより、上記第１回動部及び第２回動部を回動中心として上記第１アーム部及び第２アーム部を回動して、上記凸部と上記凹部とで靴の一部を挟んで伸ばすように構成された靴矯正具において、
上記第１レバーの第１アーム部が、上記第２レバーの第２グリップ部を取り囲み、更に上記凸部が上記凹部に臨むように延びた形状に形成されていることを特徴とする靴矯正具。
【請求項２】
請求項１の靴矯正具において、
上記第１レバーまたは第２レバーの何れか一方のレバーの回動部に形成したカム穴と、該カム穴に係合する係合ピンを有する他方のレバーに進退移動自在に配設した進退部材と、該進退部材を所望の位置に進退移動させる移動位置調整部材とを有し、
該移動位置調整部材により上記進退部材の移動位置を調整して、上記カム穴に対する上記係合ピンの係合位置を変えることにより、上記第１回動部と第２回動部との相対回動位置を変化させて上記凸部と凹部との離間距離を調節する離間距離調節手段を有していることを特徴とする靴矯正具。
【請求項３】
請求項１の靴矯正具において、
上記第２レバーの第２グリップ部を、該第２グリップ部を取り囲む上記第１アーム部の任意の位置に係止する第２グリップ係止手段を有していることを特徴とする靴矯正具。
【発明の詳細な説明】
【０００１】
【発明の属する技術分野】
本発明は、靴の部分的な形状を着用者の足の形状に合せて矯正する靴矯正具に関するものであり、特に、革製の靴の一部だけを押し拡げて伸ばす靴矯正具に改良を加えたものである。
【０００２】
【従来の技術】
上記靴矯正具は、靴ずれや外反母趾といった靴による足のトラブルを防止するために、靴を履いたときに足の胛に当たる靴の胛皮の部分、特に、胛皮の足がきつく当たる箇所を外側に押し拡げて伸ばすといった靴の矯正作業を行う際に使用される器具である。
この種の靴矯正具として、例えば実開平７−２３４１１号公報に記載されたような、凸部及び凹部で靴の胛皮の一部だけを挟む「やっとこ」形の靴矯正具が提案されている。しかし、この従来の靴矯正具においては、凸部及び凹部にて靴の胛皮を挟むようにグリップ部を握るという極めて単純な作業だけで靴の矯正を行っている。このような単純な作業では、該凸部及び凹部によって胛皮を長時間挟み続けることが難しく、胛皮への押圧力も不足気味になる。このように、従来の靴矯正具は、靴の胛皮を押し拡げたままの状態を保って靴の形状を矯正することが困難であった。このため、このような従来の靴矯正具では、靴の胛皮を伸ばした状態で胛皮に永続的な癖をつけることができず、矯正を行ってから何日か経過すると、胛皮の持つ復元力によって靴が製造された時点の状態、つまり着用者がきついと感じる状態に胛皮の形状が戻ってしまうことがあった。
【０００３】
そこで、本出願人は、特開平１０−１５１００４に記載されたような「靴矯正具」を提案した。この靴矯正具は、先端部が開閉自在な２本のアーム部を備えている。これら２本のアーム部のうち一方の先端部には凸部が、他方の先端部には該凸部を受ける凹部がそれぞれ形成されている。さらに上記２本のアーム部には各アーム部の先端部を開閉させる左右一対のグリップ部が設けられている。さらに、一方のグリップ部には、ねじが切られたボルト部材が取り付けられている。このボルト部材には該ボルト部材のねじに噛み合う回転自在なナット部が設けられている。このナット部には、他方のグリップ部を保持する保持部が形成されている。
【０００４】
この靴矯正具においては、一方のグリップ部に取り付けられているボルト部に対して噛み合う上記ナット部の噛み合い位置を変えて、該ボルト部により他方のグリップ部を保持することによって、両グリップ部の開閉状態を調節、固定することができる。これにより、上記凸部及び凹部にて靴の一部を挟み各グリップ部を握って靴の一部を伸ばした状態、つまり両グリップが握られた状態を保って、靴の形状を矯正することができるようになる。このように、この靴矯正具によれば、上述のような極めて簡単な構成により、高い矯正精度で胛皮の一部を伸ばすことができ、且つ、該凸部と凹部に挟まれて伸ばされた状態の胛皮の形状を長時間維持させることができる。
【０００５】
【発明が解決しようとする課題】
ところが、本出願人が提案した靴矯正具は、その凸部及び凹部が形成された各アーム部やグリップ部などの主要部の構造が、前記従来の「やっとこ」形の靴矯正具とほぼ同じであった。このため、例えば、短ブーツなどのような踵部分が比較的高い形状の靴を矯正する場合、一方のアーム部の凸部を靴の内側に挿入する際に、一方のグリップ部が靴の踵部分に当接して、該凸部を靴の所望の位置に臨ませることが困難になったり、靴の踵部分を傷付けたりする不具合があった。
【０００６】
また、この靴矯正具では、一方のアーム部を、その付け根の部分（各アーム部の回動部の部分）まで、靴の内側に挿入してグリップ部を握った際に、該アーム部の回動により靴の胛皮端部が該アーム部の付け根部分に挟まれてしまって、該凸部と凹部とで靴の胛皮を強く挟めなくなったり、該胛皮が傷付いたりする不具合もあった。
なお、これらの不具合を解消するために、上記各アーム部を十分に長く形成すると、靴矯正具の全長が極めて長くなって作業がしずらくなる。
【０００７】
本発明は以上の問題点に鑑みなされたものであり、その目的とするところは、作業時に、グリップ部が靴の踵部分に当接したり、アーム部の付け根部分に靴の胛皮端部が挟まれたりすることがなく、全長も短く作業性の優れた靴矯正具を提供することである。
【０００８】
【課題を解決するための手段】
上記目的を達成するために、請求項１の発明は、第１グリップ部と、該第１グリップ部から延びる第１アーム部と、該第１グリップ部及び第１アーム部の回動中心となる第１回動部と、該第１アーム部の先端に形成された凸部とを有する第１レバーと、第２グリップ部と、該第２グリップ部から延びる第２アーム部と、該第２グリップ部及び第２アーム部の回動中心となる第２回動部と、該第２アーム部の先端に形成された凹部とを有する第２レバーと、上記第１回動部と第２回動部とを回動自在に連結する連結手段とを有し、上記第１アーム部を靴の内側に差し込んだ状態で、上記第１グリップ部と第２グリップ部とを握ることにより、上記第１回動部及び第２回動部を回動中心として上記第１アーム部及び第２アーム部を回動して、上記凸部と上記凹部とで靴の一部を挟んで伸ばすように構成された靴矯正具において、上記第１レバーの第１アーム部が、上記第２レバーの第２グリップ部を取り囲み、更に上記凸部が上記凹部に臨むように延びた形状に形成されていることを特徴とするものである。
【０００９】
この靴矯正具においては、上記第１レバーの第１アーム部が、上記第２レバーの第２グリップ部を取り囲み、更に上記凸部が上記凹部に臨むように延びた形状に形成されている。これにより、この靴矯正具の靴に挿入される部分の長さ、つまり、上記第１レバーの第１アーム部の長さが、上記上記第２レバーの第２アーム部と第２グリップ部とを合わせた長さよりも十分に長く形成されるようになる。従って、この靴矯正具においては、その全長をさほど大きくせずに、靴の内側に挿入される上記第１レバーの第１アーム部を長く形成することができるようになる。また、靴の胛皮の内側に上記第１レバーの第１アーム部を差し込んだ状態で、両レバーの各回動部が靴の外側に位置するようになるので、両グリップ部を握った際に両アーム部の付け根部分に靴の胛皮端部が挟み込まれることがなくなくなる。なお、この種の靴矯正具は、その第１レバーの第１アーム部を靴の開口部から胛皮の内側に挿入した状態で靴の矯正作業が行われる関係上、該第１レバーの第１アーム部の靴に挿入される部分の長さは、矯正対象となる靴の先端部から胛皮端部までの長さよりも大きく、且つ、靴の先端部から踵部までの長さよりも小さくなるように形成される。この靴矯正具においては、その第２レバーの第２グリップ部が、上記第１レバーの第１アーム部により取り囲まれるように該第１アーム部の内側に位置している。従って、該第１レバーの第１アーム部が靴の内側に挿入された状態で、該第２レバーの第２グリップ部が靴の踵側に突出して該踵部に当接することがなくなる。
【００１０】
請求項２の発明は、請求項１の靴矯正具において、上記第１レバーまたは第２レバーの何れか一方のレバーの回動部に形成したカム穴と、該カム穴に係合する係合ピンを有する他方のレバーに進退移動自在に配設した進退部材と、該進退部材を所望の位置に進退移動させる移動位置調整部材とを有し、該移動位置調整部材により上記進退部材の移動位置を調整して、上記カム穴に対する上記係合ピンの係合位置を変えることにより、上記第１回動部と第２回動部との相対回動位置を変化させて上記凸部と凹部との離間距離を調節する離間距離調節手段を有していることを特徴とするものである。
【００１１】
この靴矯正具においては、上記離間距離調節手段により上記第１レバーの凸部と第２レバーの凹部との離間距離が調節される。これによって、高い矯正精度で胛皮の一部を伸ばし、且つ、該凸部と凹部に挟まれて伸ばされた状態の胛皮の形状を長時間維持させることができるようになる。
【００１２】
請求項３の発明は、請求項１の靴矯正具において、上記第２レバーの第２グリップ部を、該第２グリップ部を取り囲む上記第１アーム部の任意の位置に係止する第２グリップ係止手段を有していることを特徴とするものである。
【００１３】
この靴矯正具においては、上記第２グリップ係止手段により、上記第２レバーの第２グリップ部が、該第２グリップ部を取り囲む上記第１アーム部の任意の位置に係止される。これにより、請求項２の靴矯正具よりも簡素且つ安価な構成により、高い矯正精度で胛皮の一部を伸ばし、且つ、該凸部と凹部に挟まれて伸ばされた状態の胛皮の形状を長時間維持させることができるようになる。
【００１４】
【発明の実施の形態】
以下、本発明を適用した靴矯正具の実施形態について説明する。
まず、本発明の第１の実施形態に係る靴矯正具について説明する。この第１の実施形態に係る靴矯正具１は、図１乃至図３に示すように、第１レバー１００、第２レバー２００、連結手段３００、離間距離調節手段４００などで構成されている。
第１レバー１００は、第１グリップ部１０３と該第１グリップ部１０３から延びる第１アーム部１０２とを有しており、該第１アーム部１０２の先端には凸部１０１が形成されている。
第２レバー２００は、第２グリップ部２０３と該第２グリップ部２０３から延びる第２アーム部２０２とを有しており、該第２アーム部２０２の先端には凹部２０１が形成されている。
第１レバー１００の凸部１０１は、図１に示すように、第２レバー２００の凹部２０１とで、靴５００（図５参照）の胛皮５００ａを挟み込んで伸ばしたときに、該胛皮５００ａを傷付けないように、その凹部２０１に対向する部分の表面がほぼ球状に形成されている。
また、上記第２レバー２００の凹部２０１には、該凹部２０１と上記凸部１０１との間に胛皮５００ａが余裕をもって入り込む大きさの円形の開口２０１ａが形成されている（図２参照）。
【００１５】
上記連結手段３００は、第１グリップ部１０３と第２グリップ部２０３とを把持して開閉したときに、凸部１０１と凹部２０１とが接離するように、第１レバー１００に形成された第１回動部１０４と、第２レバー２００に形成された第２回動部２０４とを回動自在に連結するように構成されている。
本実施形態に係る靴矯正具１の連結手段３００は、図３に示すように、上記第１回動部１０４及び第２回動部２０４に穿たれた軸穴１０４ａ，２０４ａに挿通されて第１レバー１００と第２レバー２００とを回動自在に軸支する有頭状の支軸３０１と、該第１回動部１０４と第２回動部２０４との間に介在するように該支軸３０１に装着されるスペーサ３０２と、該支軸３０１の挿通側端部に取り付けられて該支軸３０１の脱落を阻止するスナップリングやカシメナットなどからなる抜け止め部材３０３とで構成されている。
なお、上記支軸３０１の頭部及び挿通側端部は、上記第１回動部１０４及び第２回動部２０４の該側面側の段部に、目隠し用のカバーキャップ３０４が取り付けられることによって、露呈しないように覆われるようになっている。
【００１６】
以下、本実施形態に係る靴矯正具１の特徴部の構成について説明する。
この靴矯正具１の第１アーム部１０２は、図１及び図４に示すように、第２レバー２００の第２グリップ部２０３の、第２アーム部２０２とは反対側のグリップ端部より、第２レバー２００の第２回動部２０４から遠いところを通って第２レバー２００の第２グリップ部２０３に対し第１レバー１００の第１グリップ部１０３とは反対側に至り、該反対側で屈曲して該２レバー２００の第２グリップ部２０３を取り囲み、更に上記凸部１０１が上記凹部２０１に臨むように延びた形状に形成されている。
また、この第１アーム部１０２の上記第２レバー２００側に屈曲して延びたアーム部分は、該第２レバー２００に対し、靴５００の胛皮５００ａが介在し得るような間隔が生じるように形成されている。
さらに、上記第１レバー１００の第１回動部１０４は、図３に示すように、上記第１グリップ部１０３の、上記第１アーム部１０２とは反対側のグリップ端部に設けられている。
【００１７】
これにより、この靴矯正具１の靴に挿入される部分の長さ、つまり、上記第１レバー１００の第１アーム部１０２の長さが、上記第２レバー２００の第２アーム部２０２と第２グリップ部２０３とを合わせた長さよりも十分に長く形成されるようになる。従って、この靴矯正具１においては、図４に示すように、その全長Ｌをさほど大きくせずに、上記第１レバー１００の第１アーム部１０２の靴５００に挿入される部分の長さを十分に長く形成することができるようになる。このように、この靴矯正具１は、その全長Ｌを従来のそれよりも著しく短縮させることができるようになり、作業性が極めて向上される。
また、靴５００の胛皮５００ａの内側に上記第１レバー１００の第１アーム部１０２を差し込んだ状態で、両レバー１００，２００の各回動部１０４，２０４が靴５００の外側に位置するようになる。従って、両グリップ部１０３，２０３を握った際に、両アーム部１０２，２０２の付け根部分に靴５００の胛皮端部が挟み込まれることがなくなくなる。
【００１８】
ここで、上記靴矯正具１は、図４に示すように、その第１レバー１００の第１アーム部１０２を靴５００の開口部から胛皮５００ａの内側に挿入した状態で靴５００の矯正作業を行う関係上、該第１レバー１００の第１アーム部１０２の靴５００に挿入される部分の長さは、靴５００の先端部から胛皮端部５００ｂまでの長さよりも大きく、且つ、靴５００の先端部から踵部５００ｃまでの長さよりも小さくなるように形成されている。
従って、この靴矯正具１においては、その第２レバー２００の第２グリップ部２０３が、上記第１レバー１００の第１アーム部１０２により取り囲まれるように該第１アーム部１０２の内側に位置しているので、該第１レバー１００の第１アーム部１０２が靴５００の内側に挿入された状態で、該第２レバー２００の第２グリップ部２０３が靴５００の踵側に突出して該踵部５００ｃに当接することがなくなる。
【００１９】
次に、上記離間距離調節手段４００の構成について説明する。
本実施形態に係る靴矯正具１の離間距離調節手段４００は、図３に示すように、上記第２回動部２０４に形成されたカム穴２０４ｂ、該カム穴２０４ａに係合する係合ピン４０１を有する進退部材４０２、該進退部材４０２を所望の位置に進退移動させる移動位置調整部材４０３などで構成されている。
【００２０】
上記進退部材４０２は、図３に破線で示すように、上記第１グリップ部１０３に形成されたガイド穴１０３ａに対して、上記第１回動部１０４の側から、該第１グリップ部１０３に沿って進退自在（スライド自在）となるように挿入される。この進退部材４０２の断面形状は、該ガイド穴１０３ａに対して進退できる形状であれば、円形，矩形，多角形など、どのような形状であってもよい。また、進退部材４０２の挿入端側（図３の左方側）には、その進退方向に沿った比較的深いネジ穴４０２ａが穿たれている。
さらに、上記第１グリップ部１０３のガイド穴１０３ａには、上記第１回動部１０４と反対の側から、上記移動位置調整部材４０３に設けられた調整ネジ軸４０３ａが挿入されている。
この移動位置調整部材４０３の調整ネジ軸４０３ａは、ガイド穴１０３ａに挿入された進退部材４０２のネジ穴４０２ａに螺合するようになっている。これにより、ノブ状に形成された移動位置調整部材４０３を正逆回転させることで、ガイド穴１０３ａに沿って進退部材４０２が進退移動される。
【００２１】
一方、上記係合ピン４０１は、上記進退部材４０２の上記第１回動部１０４側に圧入固着（一体形成してもよい）されている。
該係合ピン４０１は、上記第１，第２の各レバー１００，２００の第１回動部１０４と第２回動部２０４とが、上記連結手段３００により連結されることによって、該第２回動部２０４のカム穴２０４ｂに係合される。
この第２回動部２０４のカム穴２０４ｂには、上記進退部材４０２の進退方向に対して傾斜したカム面２０４ｃが形成されている。
【００２２】
そして、上記移動位置調整部材４０３が正逆回転されて、ガイド穴１０３ａに沿って進退部材４０２が進退移動されると、上記第２回動部２０４のカム穴２０４ｂに係合された上記係合ピン４０１が、該カム穴２０４ｂのカム面２０４ｃに当接し、該係合ピン４０１とカム穴２０４ｂとの係合位置が変化する。これにより、上記第１回動部１０４と該第２回動部２０４との相対回動位置が変化されて、上記第１レバー１００の凸部１０１と第２レバー２００の凹部２０１との離間距離が調節される。
【００２３】
図５（ａ）、（ｂ）、（ｃ）（ｄ）に、上記係合ピン４０１と、上記カム穴２０４ｂのカム面２０４ｃとの当接位置関係の一例を示す。
すなわち、図５（ａ）は、上記靴矯正具１で靴５００を挟んでいない状態における上記第２回動部２０４のカム穴２０４ｂのカム面２０４ｃと上記係合ピン４０１との当接位置関係を示している。
また、図５（ｂ）は、該靴矯正具１の先端部を最も広げた状態における上記カム面２０４ｃと上記係合ピン４０１との当接位置関係を示している。
また、図５（ｃ）は、該靴矯正具１で靴５００を挟んだ状態における上記カム面２０４ｃと上記係合ピン４０１との当接位置関係を示している。
さらに、図５（ｄ）は、該靴矯正具１の先端部を最も締め付けた状態における上記カム面２０４ｃと上記係合ピン４０１との理論上の当接位置関係を示している。
【００２４】
このように構成された靴矯正具１は、上記離間距離調節手段４００により上記第１レバー１００の凸部１０１と第２レバー２００の凹部２０１との離間距離が調節されることによって、高い矯正精度で靴５００の胛皮５００ａの一部が伸ばされ、且つ、該凸部１０１と凹部２０１に挟まれて伸ばされた状態の胛皮５００ａの形状を長時間維持させることができるようになる。
【００２５】
次に、本発明の第２の実施形態に係る靴矯正具について説明する。
この第２の実施形態に係る靴矯正具２は、図６乃至図１４に示すような、第１レバー１００、第２レバー２００、連結手段３００、第２グリップ係止手段６００などで構成されている。図６は靴矯正具２の全体的な構成を、第２レバー２００の凹部２０１及び第２グリップ部２０３の端部を破断して示す正面図、図７は靴矯正具２の全体的な構成を、連結手段３００及び第１レバー１００の第１アーム部１０２を破断して示す平面図である。
【００２６】
また、図８は上記第１レバー１００の正面図、図９は第１レバー１００の第１回動部１０４及び第１アーム部１０２を破断して示す平面図である。図１０は上記第２レバー２００の凹部２０１及び第２グリップ部２０３の端部を破断して示す正面図、図１１は第２レバー２００の第２アーム部２０２の一部を破断して示す平面図である。図１２は第２レバー２００の第２回動部２０４を破断して示す側面図である。図１３（ａ）は上記第２グリップ係止手段６００のノブボルト６０１の第２グリップ部２０３側から見た側面図、（ｂ）はノブボルト６０１の一部を破断して示す正面図、（ｃ）はノブボルト６０１の第１アーム部１０２側から見た側面図である。図１４は第２グリップ係止手段６００のニードル６０２の正面図である。
【００２７】
以下、この第２の実施形態に係る靴矯正具２の構成部材について説明する。但し、図６乃至図１４に示す靴矯正具２の各構成部材のうち、図１乃至図５に示した第１の実施形態に係る靴矯正具１の構成部材と同じ符号を付した構成部材に関しては、第１の実施形態に係る靴矯正具１のものと同等の構成もしくは機能を有しているので、説明の重複を避けるために、その説明を省略する。
【００２８】
この第２の実施形態に係る靴矯正具２は、図６及び図７に示すように、その第１レバー１００の第１回動部１０４と第２レバー２００の第２回動部２０４との連結部に、伸張性のコイルスプリングからなる戻しバネ７００を配設して、第１レバーの第１グリップ部１０３と第２レバー２００の第２グリップ部２０３とを、第１レバー１００の凸部１０１と第２レバー２００の凹部２０１との離間距離が最大となるホームポジションに、該戻しバネ７００の弾力により戻すようにしたことを特徴としている。
【００２９】
すなわち、この靴矯正具２の第１レバー１００の第１回動部１０４には、図６乃至図９に示すように、第１レバー１００の軸穴１０４ａの周囲に、上記戻しバネ７００を保持するためのバネ保持穴１０４ｂが形成されている。また、靴矯正具２の第２レバー２００の第２回動部２０４には、上記バネ保持穴１０４ｂに嵌合する戻し突起２０４ｄが形成されている。戻しバネ７００は、上記バネ保持穴１０４ｂの、バネ当接部１０４ｃとバネ保持穴１０４ｂに嵌合した状態の戻し突起２０４ｄとの間に装着されている。
【００３０】
これにより、図６において、第１レバーの第１グリップ部１０３と第２レバー２００の第２グリップ部２０３とを握ると、支軸３０１を中心として、上記戻しバネ７００の弾力に抗して、第１レバー１００の第１回動部１０４と第２レバー２００の第２回動部２０４とが実線で示す位置に回動し、この回動により戻しバネ７００が圧縮される。そして、上記第１グリップ部１０３及び第２グリップ部２０３から手を離すと、該戻しバネ７００の弾力により上記第１回動部１０４と第２回動部２０４とが図６に鎖線で示す位置（ホームポジション）に押し戻される。
【００３１】
また、この第２の実施形態に係る靴矯正具２は、上記第１レバー１００の凸部１０１と第２レバー２００の凹部２０１との離間距離を調節する手段として、比較的複雑な構造からなる第１の実施形態に係る靴矯正具１の離間距離調節手段４００に替えて、極めて簡素な構造からなる第２グリップ係止手段６００を用いたことを特徴としている。
【００３２】
上記第２グリップ係止手段６００は、ノブボルト６０１と、該ノブボルト６０１に取り付けられるニードル６０２とで構成されている。
ノブボルト６０１には、図１３（ａ）、（ｂ）、（ｃ）に示すように、ノブ部６０１ａと、該ノブ部６０１ａの回転軸としてのボルト部６０１ｂと、該ノブ部６０１ａのボルト部６０１ｂと反対側の回転中心に穿たれた上記ニードル６０２を取り付けるためのニードル取付穴６０１ｃとが設けられている。
【００３３】
上記ノブボルト６０１は、上記第２レバー２００の第２グリップ２０３のグリップ端部に設けられたネジ穴２０３ａ（図１０及び図１１参照）に、そのボルト部６０１ｂが螺合される。
また、上記ニードル６０２は、その先端部（図１４の右端部）６０２ａが鈍角（この例では１２０°）なテーパ状に形成されており、この先端部６０２ａを露呈させるようにして、上記ノブボルト６０１のノブ部６０１ａに設けられたニードル取付穴６０１ｃに圧入されている（図６及び図７参照）。
【００３４】
これにより、図６及び図７において、上記ノブボルト６０１のボルト部６０１ｂが第２レバー２００の第２ブリップ部２０３のグリップ端部から突出する方向に、該ノブボルト６０１のノブ部６０１ａを回転することによって、上記ニードル６０２の先端部６０２ａが、上記第２ブリップ部２０３のグリップ端部を取り囲む上記第１アーム部１０２の内側面に強く圧接される。
【００３５】
従って、この第２の実施形態に係る靴矯正具２によれば、上記ノブボルト６０１のノブ部６０１ａを回転して、上記ニードル６０２の先端部６０２ａを上記第１アーム部１０２の内側面に強く圧接させることによって、上記第２ブリップ部２０３を該第１アーム部１０２の内側面の任意の位置に固定させることができる。
このように、この第２の実施形態に係る靴矯正具２においては、前記第１の実施形態に係る靴矯正具１よりも簡素且つ安価な構成により、上記凸部１０１と上記凹部２０１とにより高い矯正精度で靴の胛皮の一部を挟んで伸ばし、且つ、該凸部１０１と該凹部２０１とで挟んで伸ばした胛皮の形状を長時間維持させることができるようになる。なお、上記ニードル６０２の先端部６０２ａが当接する上記第１アーム部１０２の内側面には、該ニードル６０２の先端部６０２ａがクリックストップできる溝（例えば、ローレット状あるいは鋸歯状の溝）を形成して、ニードル６０２と第１アーム部１０２の内側面との滑りによる位置ズレが発生しないようにしておくことが好ましい。
【００３６】
【発明の効果】
請求項１乃至３の発明によれば、全長をさほど大きくせずに、第１レバーの第１アーム部の靴に挿入される部分の長さを十分に長く形成することができるので、該全長を従来のそれよりも著しく短縮でき、作業性が極めて向上される。また、靴の胛皮の内側に第１レバーの第１アーム部を差し込んだ状態で、両レバーの回動部が靴の外側に位置するので、両グリップ部を握った際に、両アーム部の付け根部分に靴の胛皮端部が挟み込まれることがなくなくなる。さらに、第２レバーの第２グリップ部が、第１レバーの第１アーム部により取り囲まれるように該第１アーム部の内側に位置しているので、該第１レバーの第１アーム部が靴の内側に挿入された状態で、該第２レバーの第２グリップ部が靴の踵側に突出して該踵部に当接することがなくなるという優れた効果がある。
【００３７】
特に、請求項２の発明によれば、凸部と凹部とにより高い矯正精度で胛皮の一部を挟んで伸ばし、且つ、凸部と凹部とで挟んで伸ばした胛皮の形状を長時間維持させることができるようになるという優れた効果がある。
【００３８】
また、請求項３の発明によれば、請求項２の靴矯正具よりも簡素且つ安価な構成により、凸部と凹部とにより高い矯正精度で胛皮の一部を挟んで伸ばし、且つ、凸部と凹部とで挟んで伸ばした胛皮の形状を長時間維持させることができるようになるという優れた効果がある。
【図面の簡単な説明】
【図１】本発明の第１の実施形態に係る靴矯正具の正面図。
【図２】上記第１の実施形態に係る靴矯正具の平面図。
【図３】上記第１の実施形態に係る靴矯正具の分解斜視図。
【図４】上記第１の実施形態に係る靴矯正具で靴を挟んだ状態を示す概略断面図。
【図５】（ａ）は、上記第１の実施形態に係る靴矯正具で靴を挟んでいない状態における回動部のカム穴のカム面と係合ピンとの当接位置関係を示す概略図。
（ｂ）は、該靴矯正具の先端部を最も広げた状態における上記カム面と上記係合ピンとの当接位置関係を示す概略図。
（ｃ）は、該靴矯正具で靴を挟んだ状態における上記カム面と上記係合ピンとの当接位置関係を示す概略図。
（ｄ）は、該靴矯正具の先端部を最も締め付けた状態における上記カム面と上記係合ピンとの理論上の当接位置関係を示す概略図。
【図６】本発明の第２の実施形態に係る靴矯正具の、第２レバーの凹部及び第２グリップ部の端部を破断して示す正面図。
【図７】上記第２の実施形態に係る靴矯正具の、第１レバーと第２レバーとの連結手段及び第１レバーのアーム部を破断して示す平面図。
【図８】上記第２の実施形態に係る靴矯正具の第１レバーの正面図。
【図９】上記第２の実施形態に係る靴矯正具の第１レバーの回動部及びアーム部を破断して示す平面図。
【図１０】上記第２の実施形態に係る靴矯正具の第２レバーの凹部及び第２グリップ部の端部を破断して示す正面図。
【図１１】上記第２の実施形態に係る靴矯正具の第２レバーのアーム部の一部を破断して示す平面図。
【図１２】上記第２の実施形態に係る靴矯正具の第２レバーの回動部を破断して示す側面図。
【図１３】（ａ）は、上記第２の実施形態に係る靴矯正具の第２グリップ係止手段のノブボルトを第２グリップ部側から見た側面図。
（ｂ）は、上記ノブボルトの一部を破断して示す正面図。
（ｃ）は、上記ノブボルトを第１アーム部側から見た側面図。
【図１４】上記第２グリップ係止手段のノブボルトに取り付けられるニードルの正面図。
【符号の説明】
１      第１の実施形態に係る靴矯正具
２      第２の実施形態に係る靴矯正具
１００    第１レバー
１０１    第１レバーの凸部
１０２    第１レバーのアーム部
１０３    第１レバーのグリップ部
１０３ａ    ガイド穴
１０４    第１レバーの回動部
１０４ａ    第１レバーの軸穴
１０４ｂ    第１レバーのバネ保持穴
１０４ｃ    バネ保持穴のバネ当接部
２００    第２レバー
２０１    第２レバーの凹部
２０１ａ    凹部の開口
２０２    第２レバーのアーム部
２０３    第２レバーのグリップ部
２０３ａ    ネジ穴
２０４    第２レバーの回動部
２０４ａ    第２レバーの軸穴
２０４ｂ    カム穴
２０４ｃ    カム面
２０４ｄ    戻し突起
３００    連結手段
３０１    支軸
３０２    スペーサ
３０３    抜け止め部材
３０４    カバーキャップ
４００    離間距離調節手段
４０１    係合ピン
４０２    進退部材
４０２ａ    ネジ穴
４０３      移動位置調整部材
４０３ａ    調整ネジ穴
５００    靴
５００ａ    靴の胛皮
５００ｂ    靴の胛皮端部、
５００ｃ    靴の踵部
６００      第２グリップ係止手段
６０１      ノブボルト
６０１ａ    ノブボルトのノブ部
６０１ｂ    ノブボルトのボルト部
６０１ｃ    ノブボルトのニードル取付穴
６０２      ニードル
６０２ａ    ニードルの先端部
７００      戻しバネ
Ｌ      靴矯正具の全長
【図１】
0004357736.tif 000002
【図２】
0004357736.tif 000003
【図３】
0004357736.tif 000004
【図４】
0004357736.tif 000005
【図５】
0004357736.tif 000006
【図６】
0004357736.tif 000007
【図７】
0004357736.tif 000008
【図８】
0004357736.tif 000009
【図９】
0004357736.tif 000010
【図１０】
0004357736.tif 000011
【図１１】
0004357736.tif 000012
【図１２】
0004357736.tif 000013
【図１３】
0004357736.tif 000014
【図１４】
0004357736.tif 000015